(57)【要約】【課題】アライメントを正確に維持することが可能なバックライトユニット及びこれを含む表示装置並びにその製造方法を提供する。【解決手段】本発明のバックライトユニットは、導光板と、導光板の一側に配置されて波長変換部材を収容するハウジングと、ハウジングの一側を覆うフレキシブルガラスフィルムと、を備え、フレキシブルガラスフィルムとハウジングとの間に第１レーザー接合部が形成される。【選択図】図１
2019036531.tif 000002
【特許請求の範囲】
【請求項１】
導光板と、
前記導光板の一側に配置されて波長変換部材を収容するハウジングと、
前記ハウジングの一側を覆うフレキシブルガラスフィルムと、を備え、
前記フレキシブルガラスフィルムと前記ハウジングとの間に第１レーザー接合部が形成されることを特徴とするバックライトユニット。
【請求項２】
前記フレキシブルガラスフィルムは、
前記ハウジングの一側を覆うカバー部と、
前記導光板に重なって前記導光板から離隔された離隔部と、
前記導光板に接触する接触部と、を含むことを特徴とする請求項１に記載のバックライトユニット。
【請求項３】
前記離隔部は、一定の曲率を有して曲がることを特徴とする請求項２に記載のバックライトユニット。
【請求項４】
前記導光板と前記接触部との間に第２レーザー接合部が形成されることを特徴とする請求項２に記載のバックライトユニット。
【請求項５】
前記第２レーザー接合部は、複数の接合ドットを含むことを特徴とする請求項４に記載のバックライトユニット。
【請求項６】
前記第２レーザー接合部は、互いに並んで延び、複数の接合ドット又は接合ラインを有する第１ライン及び第２ラインを含むことを特徴とする請求項４に記載のバックライトユニット。
【請求項７】
前記フレキシブルガラスフィルムの厚さは、５〜５０μｍであることを特徴とする請求項１に記載のバックライトユニット。
【請求項８】
前記第１レーザー接合部は、連続的な接合ラインを含むことを特徴とする請求項１に記載のバックライトユニット。
【請求項９】
前記導光板と前記ハウジングとの間に第３レーザー接合部が形成されることを特徴とする請求項１に記載のバックライトユニット。
【請求項１０】
前記波長変換部材は、複数のサブ波長変換部材を含み、
前記フレキシブルガラスフィルムは、前記複数のサブ波長変換部材に対応する複数のサブフレキシブルガラスフィルムを含むことを特徴とする請求項１に記載のバックライトユニット。
【請求項１１】
バックライトユニット及び前記バックライトユニット上に配置された表示パネルを備え、
前記バックライトユニットは、
導光板と、
前記導光板の一側に配置されて波長変換部材を収容するハウジングと、
前記ハウジングの一側を覆うフレキシブルガラスフィルムと、を含み、
前記フレキシブルガラスフィルムと前記ハウジングとの間に第１レーザー接合部が形成されることを特徴とする表示装置。
【請求項１２】
前記フレキシブルガラスフィルムは、
前記ハウジングの一側を覆うカバー部と、
前記導光板に重なって前記導光板から離隔された離隔部と、
前記導光板に接触する接触部と、を含むことを特徴とする請求項１１に記載の表示装置。
【請求項１３】
前記導光板と前記接触部との間に第２レーザー接合部が形成されることを特徴とする請求項１２に記載の表示装置。
【請求項１４】
前記フレキシブルガラスフィルムの厚さは、５〜５０μｍであることを特徴とする請求項１１に記載の表示装置。
【請求項１５】
前記第１レーザー接合部は、連続的な接合ラインを含むことを特徴とする請求項１１に記載の表示装置。
【請求項１６】
前記導光板と前記ハウジングとの間に第３レーザー接合部が形成されることを特徴とする請求項１１に記載の表示装置。
【請求項１７】
前記表示パネルは、互いに対向する第１基板及び第２基板を含み、
前記フレキシブルガラスフィルムは、
前記ハウジングの一側を覆うカバー部と、
前記カバー部から延びて前記第１基板に接合されたパネル接触部と、を含むことを特徴とする請求項１１に記載の表示装置。
【請求項１８】
導光板及び前記導光板の一側に配置されて波長変換部材を収容するハウジングを準備する段階と、
前記ハウジングの一側にフレキシブルガラスフィルムを配置して前記ハウジングと前記フレキシブルガラスフィルムとをフェムト秒のレーザーを用いて接合させる段階と、を有することを特徴とする表示装置の製造方法。
【請求項１９】
前記フレキシブルガラスフィルムは、
前記ハウジングに接合されるカバー部と、
前記カバー部から延びる離隔部と、
前記離隔部から延びて前記導光板に接触する接触部と、を含み、
前記導光板と前記接触部とをフェムト秒のレーザーを用いて接合させる段階を更に含むことを特徴とする請求項１８に記載の表示装置の製造方法。
【請求項２０】
前記導光板と前記ハウジングとをフェムト秒のレーザーを用いて接合させる段階を更に含むことを特徴とする請求項１８に記載の表示装置の製造方法。
【請求項２１】
前記ハウジングは、一側に配置されるカバーガラスを更に含み、
前記第１レーザー接合部は、前記カバーガラスと前記フレキシブルガラスフィルムとの間に形成されることを特徴とする請求項１に記載のバックライトユニット。
【発明の詳細な説明】
【技術分野】
【０００１】
本発明は、バックライトユニット及びこれを含む表示装置並びにその製造方法に関する。
【背景技術】
【０００２】
液晶表示装置は、情報表示技術に占める比重が非常に大きい。液晶表示装置は、両側のガラス基板の間に液晶を注入して、ガラス基板の上下にある電極を介して電圧を印加し、各液晶でこれを変換して光を制御することにより、情報を表示する。
【０００３】
液晶表示装置は、自発的に発光せず、外部から入ってくる光の透過率を調節して画像を表示する受光性素子であるため、表示パネルに光を照射するための別途の装置、即ちバックライトユニット（Ｂａｃｋｌｉｇｈｔ  Ｕｎｉｔ）が要求される。
【０００４】
最近では、発光ダイオード（Ｌｉｇｈｔ  Ｅｍｉｔｔｉｎｇ  Ｄｉｏｄｅ：ＬＥＤ）が液晶表示装置のバックライトユニットの光源として脚光を浴びており、ＬＥＤは電流が流れるときに光を発する半導体発光装置である。ＬＥＤは、長寿命、低消費電力、高応答速度、及び優れた初期駆動特性などにより照明装置、電光板、ディスプレイ装置のバックライトユニットとして広く使用されており、その適用分野が益々拡大している。
【０００５】
一方、ＬＥＤ光源を用いる場合、色の純度を高めるために量子ドットが使用されており、量子ドットは、伝導帯から価電子帯に励起状態の電子が遷移しながら発光し、同じ物質の場合でも粒子サイズに応じて波長が変わる特性を示す。量子ドットのサイズが小さくなるほど短い波長の光を発光するため、サイズを調節して所望の波長領域の光を得ることができる。
【０００６】
量子ドット物質は、主にガラスなどの密封材内に密封された状態であるため、外部からの衝撃によって密封材が破損する虞があり、量子ドット物質の内部にはＣｄなどの成分が含まれており、外部に流出した場合には環境汚染を生じさせる虞がある。従って、最近では、量子ドット物質を用いて高色再現率の白色光を実現しつつ、量子ドット物質を密封する密封材の破損を防止しようとする研究が進められている。
【発明の概要】
【発明が解決しようとする課題】
【０００７】
本発明は、上記従来技術に鑑みてなされたものであって、本発明の目的は、導光板と波長変換部材とのアライメントを正確に維持することが可能なバックライトユニット及びこれを含む表示装置並びにその製造方法を提供することにある。
【課題を解決するための手段】
【０００８】
上記目的を達成するためになされた本発明の一態様によるバックライトユニットは、導光板と、前記導光板の一側に配置されて波長変換部材を収容するハウジングと、前記ハウジングの一側を覆うフレキシブルガラスフィルムと、を備え、前記フレキシブルガラスフィルムと前記ハウジングとの間に第１レーザー接合部が形成される。
【０００９】
上記目的を達成するためになされた本発明の一態様による表示装置は、バックライトユニット及び前記バックライトユニット上に配置された表示パネルを備え、前記バックライトユニットは、導光板と、前記導光板の一側に配置されて波長変換部材を収容するハウジングと、前記ハウジングの一側を覆うフレキシブルガラスフィルムと、を含み、前記フレキシブルガラスフィルムと前記ハウジングとの間に第１レーザー接合部が形成される。
【００１０】
上記目的を達成するためになされた本発明の一態様による表示装置の製造方法は、導光板及び前記導光板の一側に配置されて波長変換部材を収容するハウジングを準備する段階と、前記ハウジングの一側にフレキシブルガラスフィルムを配置して前記ハウジングと前記フレキシブルガラスフィルムとをフェムト秒のレーザーを用いて接合させる段階と、を有する。
【発明の効果】
【００１１】
本発明のバックライトユニットによれば、導光板と波長変換部材とのアライメントを正確に維持することができ、また光学的特性を低下させることなく導光板及び波長変換部材を収容するハウジングを確実に固定することができる。
【図面の簡単な説明】
【００１２】
【図１】本発明の第１実施形態によるバックライトユニットの斜視図である。
【図２】図１のＩ−Ｉ′線に沿った断面図である。
【図３】図２の一方向から見た配置図である。
【図４】図１のバックライトユニットの部分拡大図である。
【図５】本発明の第２実施形態によるバックライトユニットの断面図である。
【図６】図５のバックライトユニットの側面図である。
【図７】本発明の第３実施形態によるバックライトユニットの斜視図である。
【図８】本発明の第４実施形態によるバックライトユニットの斜視図である。
【図９】本発明の第５実施形態によるバックライトユニットの部分斜視図である。
【図１０】図９の実施形態を適用したバックライトユニットの斜視図である。
【図１１】本発明の第１実施形態による表示装置の断面図である。
【図１２】本発明の第２実施形態による表示装置の断面図である。
【図１３】本発明の第３実施形態による表示装置の断面図である。
【図１４】本発明の第４実施形態による表示装置の断面図である。
【図１５】本発明の第５実施形態による表示装置の断面図である。
【図１６】本発明の第６実施形態による表示装置の断面図である。
【図１７】本発明の第６実施形態によるバックライトユニットの斜視図である。
【図１８】図１７のＩＩ−ＩＩ′線に沿った断面図である。
【発明を実施するための形態】
【００１３】
本発明の利点、特徴、及びそれらを達成する方法は、図面と共に詳細に後述する実施形態を参照すると明確になるだろう。しかし、本発明は、以下で開示する実施形態に限定されるものではなく、それぞれ異なる多様な形態で具現される。但し、本実施形態は、単に本発明の開示を完全たるものにし、本発明の属する技術分野における通常の知識を有する者に発明の範疇を完全に知らせるために提供するものである。
【００１４】
「第１」、「第２」などの用語は様々な構成要素を叙述するために使用されるが、これらの構成要素はこれらの用語によって限定されないのは勿論である。これらの用語は、単に一つの構成要素を他の構成要素と区別するために使用するものである。従って、以下で言及する第１構成要素は本発明の技術的思想内で第２構成要素であり得る。
【００１５】
以下、本発明を実施するための形態の具体例を、図面を参照しながら詳細に説明する。
【００１６】
図１は、本発明の第１実施形態によるバックライトユニットの斜視図であり、図２は、図１のＩ−Ｉ′線に沿った断面図である。図３は、図２の一方向から見た配置図であり、図４は、図１のバックライトユニットの部分拡大図である。
【００１７】
図１及び図２を参照すると、本実施形態によるバックライトユニットは、導光板ＬＧ、導光板ＬＧの一側に配置されて波長変換部材Ｑを収容するハウジングＨＯ、及びハウジングＨＯの一側を覆うフレキシブルガラスフィルムＧＲを含む。
【００１８】
導光板ＬＧは、提供された光をガイドして後述する表示パネル（図示せず）に提供する。導光板ＬＧは、互いに対向する上面ＵＳと下面ＬＳ、及びこれらの上面ＵＳと下面ＬＳとをつなぐ側面ＳＳを含む。光源ＬＳａから提供される光は、導光板ＬＧの上面ＵＳを経由して出光する。即ち、導光板ＬＧは、光源ＬＳａから提供される光が上面ＵＳに向かって又は上面を経由して出光するように誘導する。即ち、上面ＵＳは出光面である。
【００１９】
図１は上面ＵＳが平坦な面を含む場合を例示するが、上面ＵＳの形状はこれに限定されるものではない。即ち、上面ＵＳには光学的機能を行う機能パターンが形成される。この機能パターンは複数の突出パターンや陥没パターンを含む。
【００２０】
上面ＵＳと対向するように下面ＬＳが配置される。下面ＬＳは、上面ＵＳと実質的に同じ形状を有し、上面ＵＳに並んで配置される。下面ＬＳは、光源ＬＳａから提供される光を反射又は散乱させて光が上面ＵＳに向かって進むように誘導する役割を果たす。
【００２１】
図１は下面ＬＳが平坦な面を有する場合を例示するが、下面ＬＳの形状はこれに限定されるものではない。即ち、他の実施形態として、下面ＬＳには複数の機能パターンが形成される。機能パターンは、上述したように反射及び／又は散乱機能を行うためのパターンであり、その形状及び個数は限定されない。
【００２２】
上面ＵＳと下面ＬＳとの間に側面ＳＳが配置される。側面ＳＳは上面ＵＳと下面ＬＳとをつなぐ。導光板ＬＧは一つ以上の側面ＳＳを含む。例えば、図１のように導光板ＬＧが直方体形状を有する例示的な実施形態において、側面ＳＳは４個である。また、この場合、側面ＳＳは、互いに対向する２つの短側面、及び互いに対向する２つの長側面を含む。
【００２３】
後述する光源ＬＳａは、導光板ＬＧの短側面に隣接するように配置される。即ち、光源に隣接する導光板ＬＧの短側面は入光面になり、入光面に対向する短側面は対光面になる。図１は短側面がｙ軸方向に延び、長側面がｘ軸方向に延びる場合を例示する。また、図１は側面ＳＳが平坦な面を含む場合を例示するが、これらに限定されるものではなく、他の実施形態として、側面ＳＳは、少なくとも部分的に一つ以上の傾斜面を含む。
【００２４】
導光板ＬＧは、ガラスからなるガラス導光板である。導光板ＬＧの一側には、波長変換部材Ｑを収容するハウジングＨＯが配置される。光源ＬＳａから提供される光は、波長変換部材Ｑを通過して導光板ＬＧに提供される。波長変換部材Ｑを通過した光は、白色光に変換されて導光板ＬＧに提供される。即ち、波長変換部材Ｑは、提供される光の波長をシフト（Ｓｈｉｆｔ）させる役割を果たす。波長変換部材Ｑは量子ドット（ＱＤ：Ｑｕａｎｔｕｍ  Ｄｏｔ）を含む。波長変換部材Ｑに含まれる量子ドットは、例えばＳｉ系ナノ結晶、ＩＩ−ＶＩ族系化合物半導体ナノ結晶、ＩＩＩ−Ｖ族系化合物半導体ナノ結晶、ＩＶ−ＶＩ族系化合物半導体ナノ結晶、及びこれらの組み合わせのうちのいずれか一つのナノ結晶を含む。
【００２５】
ＩＩ−ＶＩ族系化合物半導体ナノ結晶は、ＣｄＳ、ＣｄＳｅ、ＣｄＴｅ、ＺｎＳ、ＺｎＳｅ、ＺｎＴｅ、ＨｇＳ、ＨｇＳｅ、ＨｇＴｅ、ＣｄＳｅＳ、ＣｄＳｅＴｅ、ＣｄＳＴｅ、ＺｎＳｅＳ、ＺｎＳｅＴｅ、ＺｎＳＴｅ、ＨｇＳｅＳ、ＨｇＳｅＴｅ、ＨｇＳＴｅ、ＣｄＺｎＳ、ＣｄＺｎＳｅ、ＣｄＺｎＴｅ、ＣｄＨｇＳ、ＣｄＨｇＳｅ、ＣｄＨｇＴｅ、ＨｇＺｎＳ、ＨｇＺｎＳｅ、ＨｇｇＺｎＴｅ、ＣｄＺｎＳｅＳ、ＣｄＺｎＳｅＴｅ、ＣｄＺｎＳＴｅ、ＣｄＨｇＳｅＳ、ＣｄＨｇＳｅＴｅ、ＣｄＨｇＳＴｅ、ＨｇＺｎＳｅＳ、ＨｇＺｎＳｅＴｅ、及びＨｇＺｎＳＴｅよりなる群から選ばれるいずれか一つである。
【００２６】
ＩＩＩ−Ｖ族系化合物半導体ナノ結晶は、ＧａＰＡｓ、ＡｌＮＰ、ＡｌＮＡｓ、ＡｌＰＡｓ、ＩｎＮＰ、ＩｎＮＡｓ、ＩｎＰＡｓ、ＧａＡｌＮＰ、ＧａＡｌＮＡｓ、ＧａＡｌＰＡｓ、ＧａＩｎＮＰ、ＧａＩｎＮＡｓ、ＧａＩｎＰＡｓ、ＩｎＡｌＮＰ、ＩｎＡｌＮＡｓ、及びＩｎＡｌＰＡｓよりなる群から選ばれるいずれか一つである。
【００２７】
ＩＶ−ＶＩ族系化合物半導体ナノ結晶はＳｂＴｅである。但し、これらは例示的なものであり、量子ドット物質の種類はこれらに限定されるものではない。即ち、波長変換機能を行う量子ドット物質であれば、波長変換部材Ｑに属する量子ドットとして使用される。
【００２８】
波長変換部材Ｑは、バー（ｂａｒ）形状を有し、長手方向に延びる。図１は波長変換部材Ｑがｙ軸方向に延びる場合を例示する。即ち、波長変換部材Ｑは導光板ＬＧの側面ＳＳに沿って延びる。波長変換部材Ｑは、導光板ＬＧの短側面のうちの出光面、即ち光源ＬＳａに隣接する側面ＳＳに対向するように配置される。
【００２９】
波長変換部材Ｑは一方向に連続的に延びる。但し、これに限定されるものではなく、他の実施形態として、波長変換部材Ｑは断続的に延びる。即ち、図１は一つの波長変換部材Ｑが一体に形成される場合を例示するが、これに限定されるものではなく、他の実施形態として、複数の波長変換部材Ｑが独立して形成される。
【００３０】
波長変換部材ＱはハウジングＨＯに収容される。このため、ハウジングＨＯは収納空間ＳＰを区画し、長さ方向に延びるバー（Ｂａｒ）形状を有する。本実施形態において、長さ方向は図１のｙ軸方向である。ハウジングＨＯは、内部に形成される一定の空間を含む。これを収納空間ＳＰと称する。収納空間ＳＰは、一側が開き、他側が閉じた形態である。
【００３１】
収納空間ＳＰには波長変換部材Ｑが充填される。ハウジングＨＯ及び後述するフレキシブルガラスフィルムＧＲによって波長変換部材Ｑは密封される。即ち、ハウジングＨＯに含まれる収納空間ＳＰはフレキシブルガラスフィルムＧＲによって密閉され、これにより収納空間ＳＰに配置される波長変換部材Ｑは外部と遮断されて水分や空気に晒されない。
【００３２】
ハウジングＨＯはガラスを含んでなる。即ち、ハウジングＨＯは中空のガラス管形態を有する。ハウジングＨＯは導光板ＬＧ及び同種のガラスからなる。他の実施形態として、ハウジングＨＯは導光板ＬＧ及び異種のガラスからなる。
【００３３】
ハウジングＨＯの一側には、ハウジングＨＯを覆うフレキシブルガラスフィルムＧＲが配置される。フレキシブルガラスフィルムＧＲは、ガラスからなり、その厚さにより可撓性を有する。フレキシブルガラスフィルムＧＲは５〜５０μｍの厚さを有する。フレキシブルガラスフィルムＧＲは、ハウジングＨＯの一側を覆い、これによりハウジングＨＯの収納空間ＳＰが密閉される。即ち、フレキシブルガラスフィルムＧＲは、ハウジングＨＯ及び波長変換部材Ｑに直接接触して収納空間の開放部分を閉じる。
【００３４】
フレキシブルガラスフィルムＧＲと導光板ＬＧとの間にハウジングＨＯが配置される。この場合、ハウジングＨＯの収納空間の開放部分は、導光板ＬＧの外側に向かってフレキシブルガラスフィルムＧＲにより覆われる。ハウジングＨＯの閉鎖部分は導光板ＬＧの側面に接触する。このとき、ハウジングＨＯの閉鎖部分は、導光板ＬＧに接触するが、接合はなされない。
【００３５】
フレキシブルガラスフィルムＧＲは、カバー部１０１、離隔部１０２、及び接触部１０３を含む。フレキシブルガラスフィルムＧＲのカバー部１０１は、ハウジングＨＯの収納空間を覆い、収納空間を密閉させる。カバー部１０１はハウジングＨＯに接合される。カバー部１０１はレーザー接合方式によってハウジングＨＯに接合され、これによりカバー部１０１とハウジングＨＯとの接触面には第１レーザー接合部ＬＢ１が形成される。これについて具体的に説明するために、図３を参照する。
【００３６】
図３を参照すると、第１レーザー接合部ＬＢ１は、連続する接合ラインＢＬを含む。接合ラインＢＬは、連続的に形成され、その平面形状は閉図形（Ｃｌｏｓｅｄ  ｓｈａｐｅ）である。収納空間ＳＰの平面形状が四角形である例示的な実施形態において、接合ラインＢＬは、収納空間ＳＰの平面外周に沿って配置される四角形の形状を有する（図３参照）。
【００３７】
波長変換部材Ｑが量子ドットを含む場合、水分及び酸素に晒されると、著しく機能が低下する虞がある。上述したように、フレキシブルガラスフィルムＧＲとハウジングＨＯとをレーザーで接合する場合、ハウジングＨＯの収納空間ＳＰが完全に密閉されて波長変換部材Ｑが外部の水分及び酸素に晒されることを防止することができる。
【００３８】
次いで、図４を参照して第１レーザー接合部ＬＢ１について具体的に説明する。
【００３９】
図４はフレキシブルガラスフィルムＧＲのカバー部１０１とハウジングＨＯとの接触面の部分拡大図である。図４を参照すると、第１レーザー接合部ＬＢ１は、中心領域Ａ１、及び中心領域Ａ１の外側に配置される周辺領域Ａ２を含む。レーザー接合部はフェムト秒のレーザーによって形成される。フェムト秒のレーザーは、照射パルス幅がフェムト秒（ｆｅｍｔｏ  ｓｅｃｏｎｄ）単位のレーザーを意味する。第１レーザー接合部ＬＢ１の中心領域Ａ１は接触面を横切って形成される。中心領域Ａ１の断面は、長軸が短軸より長い楕円形状を有する。
【００４０】
以下、中心領域Ａ１の断面が楕円形状を有する場合を例示して説明するが、中心領域の断面形状はこれに限定されるものではない。他の実施形態として、中心領域Ａ１の断面は円形である。この場合、次の長軸に対する説明は円の直径に対する説明に置き換えられることを予め明らかにしておく。
【００４１】
図４は中心領域Ａ１の長軸が接触面に対して垂直になるように配置される場合を例示するが、長軸の方向はこれに限定されない。即ち、長軸の方向はレーザー照射方向によって異なる。中心領域Ａ１は、ハウジングＨＯとカバー部１０１との境界がなくなる。即ち、ハウジングＨＯとカバー部１０１との接触面が明確に識別されない。
【００４２】
一実施形態において、ハウジングＨＯは第１ガラス材料からなり、フレキシブルガラスフィルムＧＲは第１ガラス材料とは異なる第２ガラス材料からなる。第１ガラス材料及び第２ガラス材料は、下記の表１のような物性を有する。
【００４３】
【表１】
2019036531.tif 000003
【００４４】
ハウジングＨＯとフレキシブルガラスフィルムＧＲとの熱膨張係数の差が大きいと、レーザー接合過程でハウジングＨＯがフレキシブルガラスフィルムＧＲとミスアラインする虞がある。従って、ハウジングＨＯとフレキシブルガラスフィルムＧＲとの熱膨張係数の差が小さいほど有利である。
【００４５】
このため、ハウジングＨＯは第１ガラス材料の候補１からなり、フレキシブルガラスフィルムＧＲは第２ガラス材料の候補１からなる。他の実施形態として、ハウジングＨＯは第１ガラス材料の候補２からなり、フレキシブルガラスフィルムＧＲは第２ガラス材料の候補２からなる。
【００４６】
ハウジングＨＯが第１ガラス材料からなり、フレキシブルガラスフィルムＧＲが第２ガラス材料からなる実施形態において、中心領域Ａ１は、第１ガラス材料と第２ガラス材料とが境界なく混合された領域である。
【００４７】
一実施形態において、ハウジングＨＯとフレキシブルガラスフィルムＧＲとは同じガラスからなる。この場合、中心領域Ａ１は、ハウジングＨＯとフレキシブルガラスフィルムＧＲとが境界なく混合された領域である。
【００４８】
中心領域Ａ１の長軸の幅は１０μｍ〜２０μｍである。中心領域Ａ１の外側には、中心領域Ａ１を囲むように周辺領域Ａ２が配置される。一実施形態において、中心領域Ａ１の断面形状は円形である。
【００４９】
周辺領域Ａ２に含まれるハウジングＨＯとフレキシブルガラスフィルムＧＲとは、少なくとも部分的に溶融した状態である。但し、この場合でも、ハウジングＨＯとフレキシブルガラスフィルムＧＲとの境界が維持され、接触面も明確に識別される。周辺領域Ａ２の幅は７０μｍ〜１００μｍである。
【００５０】
第１レーザー接合部ＬＢ１の大きさが大きいと、波長変換部材Ｑに熱損傷が加わる虞がある。上述したように、接合ドットＢＤの最大幅が７０μｍ〜１００μｍである場合、波長変換部材Ｑに加わる熱損傷を防ぐか或いは最小限に抑えることができる。
【００５１】
第１レーザー接合部ＬＢ１の大きさを最小化するために、照射パルス幅がフェムト秒であるレーザーを用いる。フェムト秒のレーザーを用いると、ハウジングＨＯとフレキシブルガラスフィルムＧＲとが互いに接合され、第１レーザー接合部ＬＢ１の最大幅が１００μｍ以下に維持される。また、これにより波長変換部材Ｑが熱により損傷を被ることを最小限に抑えることができる。
【００５２】
再び図１を参照すると、カバー部１０１から導光板ＬＧの内側に向かって離隔部１０２が延びる。即ち、離隔部１０２は導光板ＬＧの上面ＵＳ及び／又は下面ＬＳａに重なる。
【００５３】
フレキシブルガラスフィルムＧＲは可撓性を有するものの、基本的に脆性材料から作られるため、一定の角度以上折り曲げられると壊れる虞がある。このため、離隔部１０２は一定の曲率をもって緩やかに折り曲げられる。離隔部１０２が緩やかな曲率を有して曲がることにより、離隔部１０２は導光板ＬＧの上面ＵＳと一定間隔離隔して形成される。
【００５４】
離隔部１０２から導光板ＬＧの内側に向かって接触部１０３が延びる。接触部１０３は導光板ＬＧの上面ＵＳに直接接触する。接触部１０３は、導光板ＬＧの上面ＵＳにレーザー接合方式によって接合される。これにより、接触部１０３と導光板ＬＧの上面との間には第２レーザー接合部ＬＢ２が形成される。第２レーザー接合部ＬＢ２は接触部１０３と導光板ＬＧの上面との接触面に形成される。
【００５５】
第２レーザー接合部ＬＢ２は複数の接合ドットＢＤを含む。それぞれの接合ドットＢＤの断面は、図４で説明したものと実質的に同一である。即ち、図４で説明したように、接合ドットＢＤはフェムト秒のレーザーによって形成され、これにより接合ドットＢＤは中心領域Ａ１及び周辺領域Ａ２を含む。複数の接合ドットＢＤは同一線上に配置される。図１は複数の接合ドットＢＤがｙ軸方向に沿って延びる場合を例示する。
【００５６】
図１は第２レーザー接合部ＬＢ２が断続的に延びる場合を例示したが、これに限定されるものではない。他の実施形態として、第２レーザー接合部ＬＢ２は、第１レーザー接合部ＬＢ１と同様に連続的な接合ラインＢＬを含む。
【００５７】
バックライトユニットは、ハウジングＨＯの一側に配置される光源ＬＳａを更に含む。光源ＬＳａは導光板ＬＧに光を提供する。光源ＬＳａは導光板ＬＧの側面に隣接するように配置される。具体的に、波長変換部材Ｑが光源ＬＳａと導光板ＬＧとの間に配置される。
【００５８】
光源ＬＳａは、プリント回路基板５５及び発光ダイオード５６を含む。プリント回路基板５５は発光ダイオード５６を支持する。プリント回路基板５５は長さ方向に延びる。プリント回路基板５５は、波長変換部材Ｑと同じ方向、即ち図２におけるｙ軸方向に延びる。即ち、プリント回路基板５５と波長変換部材Ｑとは互いに並んで延びる。
【００５９】
プリント回路基板５５は、発光ダイオード５６を制御するための各種回路（図示せず）を含む。プリント回路基板５５上には発光ダイオード５６が配置される。発光ダイオード５６は、青色光を発光する発光ダイオードであるか、或いはＵＶ光を発光する発光ダイオードである。但し、これは例示的なものであり、発光ダイオード５６の種類はこれに限定されるものではない。発光ダイオード５６はプリント回路基板５５に沿って複数個配置される。上述のように、発光ダイオード５６から放出される光は、波長変換部材Ｑを経由して導光板ＬＧの側面ＳＳのうちのいずれか一つ、即ち入光面に全面的に提供される。
【００６０】
次に、本発明の他の実施形態によるバックライトユニットについて説明する。以下の実施形態における既に説明した構成と同一の構成については、同一の参照符号を付し、重複説明を省略又は簡略化する。
【００６１】
図５は、本発明の第２実施形態によるバックライトユニットの断面図であり、図６は、図５のバックライトユニットの側面図である。
【００６２】
図５を参照すると、ハウジングＨＯの一面と導光板ＬＧとが接合される。これにより、ハウジングＨＯと導光板ＬＧとの間には第３レーザー接合部ＬＢ３が形成される。第３レーザー接合部ＬＢ３は導光板ＬＧの側面ＳＳとハウジングＨＯとの接触面に形成される。第３レーザー接合部ＬＢ３は複数の接合ドットＢＤを含む。それぞれの接合ドットＢＤの断面は、図４で説明したものと実質的に同一である。即ち、図４で説明したように、接合ドットＢＤはフェムト秒のレーザーによって形成され、これにより、接合ドットＢＤは中心領域Ａ１及び周辺領域Ａ２を含む。
【００６３】
接合ドットＢＤは、波長変換部材Ｑの外周を囲むように配置される。即ち、接合ドットＢＤと波長変換部材Ｑとはｘ軸方向に互いに重ならない。接合ドットＢＤは、その物理的な構造のために光の損失を引き起こす可能性があるが、このように接合ドットＢＤと波長変換部材Ｑとがｘ軸方向に互いに重ならない場合、波長変換部材Ｑを通過した光が接合ドットＢＤに触れずに直ちに導光板ＬＧに提供される。
【００６４】
図６は複数の接合ドットＢＤが正角形の形状をなす場合を例示するが、接合ドットＢＤが描く形状はこれに限定されない。本実施形態において、接合ドットＢＤは、四角形の四辺から選ばれた少なくとも一つの線分に沿って形成される。また、図６は第３レーザー接合部ＬＢ３が断続的に延びる場合を例示したが、これに限定されるものではない。他の実施形態として、第３レーザー接合部ＬＢ３は、第１レーザー接合部ＬＢ１と同様に連続的な接合ラインＢＬを含む。
【００６５】
図７は、本発明の第３実施形態によるバックライトユニットの斜視図である。図７を参照すると、フレキシブルガラスフィルムＧＲの接触部１０３及び導光板ＬＧの上面ＵＳには、第２レーザー接合部第１ラインＬＢ２＿１及び第２レーザー接合部第２ラインＬＢ２＿２が形成される。
【００６６】
第２レーザー接合部ＬＢ２は複数のラインを含む。第２レーザー接合部第１ラインＬＢ２＿１及び第２レーザー接合部第２ラインＬＢ２＿２は、互いにｙ軸方向に並んで延びる。第２レーザー接合部第１ラインＬＢ２＿１及び第２レーザー接合部第２ラインＬＢ２＿２は複数の接合ドットＢＤを含む。即ち、複数の接合ドットＢＤが第２レーザー接合部第１ラインＬＢ２＿１及び第２レーザー接合部第２ラインＬＢ２＿２に沿って配置される。
【００６７】
一実施形態において、第２レーザー接合部第１ラインＬＢ２＿１及び第２レーザー接合部第２ラインＬＢ２＿２は連続的な接合ラインＢＬを含む。接合ドットＢＤ及び接合ラインＢＬは、上述した第１及び第２実施形態によるバックライトユニットで説明したものと実質的に同一である。第２レーザー接合部ＬＢ２が複数のラインを含む場合は、フレキシブルガラスフィルムＧＲと導光板ＬＧとの接合力が強くなり、これによりフレキシブルガラスフィルムＧＲと導光板ＬＧとが互いに安定的に固定される。
【００６８】
図８は、本発明の第４実施形態によるバックライトユニットの斜視図である。図８を参照すると、本実施形態において、第２レーザー接合部ＬＢ２＿３は閉図形の形状（Ｃｌｏｓｅｄ  ｓｈａｐｅ）を有する。
【００６９】
第２レーザー接合部ＬＢ２＿３の平面形状は閉図形の形状である。第２レーザー接合部ＬＢ２＿３は、フレキシブルガラスフィルムＧＲの接触部１０３と導光板ＬＧの上面ＵＳとの接触面の外周に沿って閉曲線を描く。図８は第２レーザー接合部ＬＢ２＿３の平面形状が四角形の形状である場合を例示する。
【００７０】
第２レーザー接合部ＬＢ２＿３は断続的な接合ドットＢＤ又は連続的な接合ラインＢＬを含む。第２レーザー接合部ＬＢ２＿３は、フレキシブルガラスフィルムＧＲの接触部１０３と導光板ＬＧの上面ＵＳとの接触面の外周に沿って閉曲線を描く場合、フレキシブルガラスフィルムＧＲと導光板ＬＧとの接合力を大きくしながらも、レーザー接合部による光の干渉を最小限に抑えることができる。即ち、レーザー接合部と導光板を通過する光の光経路が互いに重なり合うことを最小限に抑えることができる。
【００７１】
図９は、本発明の第５実施形態によるバックライトユニットの部分斜視図であり、図１０は、図９の実施形態を適用したバックライトユニットの斜視図である。
【００７２】
図９及び図１０を参照すると、フレキシブルガラスフィルムＧＲ０は複数のサブフレキシブルガラスフィルム（２１、２２、２３、２４）を含む。フレキシブルガラスフィルムＧＲ０は、第１サブフレキシブルガラスフィルム２１、第２サブフレキシブルガラスフィルム２２、第３サブフレキシブルガラスフィルム２３、及び第４サブフレキシブルガラスフィルム２４を含む。
【００７３】
図９にはフレキシブルガラスフィルムＧＲ０が四つのサブフレキシブルガラスフィルムを含むことを示しているが、これは例示的なものであり、サブフレキシブルガラスフィルムの数はこれに限定されるものではない。他の実施形態として、サブフレキシブルガラスフィルムの数は４個以下又は５個以上である。
【００７４】
複数のサブフレキシブルガラスフィルムに対応するように、波長変換部材Ｑ２は複数のサブ波長変換部材（１１、１２、１３、１４）を含む。波長変換部材Ｑ２は、第１サブ波長変換部材１１、第２サブ波長変換部材１２、第３サブ波長変換部材１３、及び第４サブ波長変換部材１４を含む。
【００７５】
ハウジングＨＯ１は、それぞれ分離された４つの収納空間（ＳＰ１、ＳＰ２、ＳＰ３、ＳＰ４）を含む。これを、説明の便宜上、第１収納空間ＳＰ１、第２収納空間ＳＰ２、第３収納空間ＳＰ３、及び第４収納空間ＳＰ４と称する。第１収納空間ＳＰ１、第２収納空間ＳＰ２、第３収納空間ＳＰ３、及び第４収納空間ＳＰ４には、それぞれ第１サブ波長変換部材１１、第２サブ波長変換部材１２、第３サブ波長変換部材１３、及び第４サブ波長変換部材１４が充填される
【００７６】
更に、第１サブフレキシブルガラスフィルム２１、第２サブフレキシブルガラスフィルム２２、第３サブフレキシブルガラスフィルム２３、及び第４サブフレキシブルガラスフィルム２４は、それぞれ第１収納空間ＳＰ１、第２収納空間ＳＰ２、第３収納空間ＳＰ３、及び第４収納空間ＳＰ４を覆う。これにより、第１サブ波長変換部材１１、第２サブ波長変換部材１２、第３サブ波長変換部材１３、及び第４サブ波長変換部材１４は密閉される。
【００７７】
第１サブフレキシブルガラスフィルム２１、第２サブフレキシブルガラスフィルム２２、第３サブフレキシブルガラスフィルム２３、及び第４サブフレキシブルガラスフィルム２４は、それぞれカバー部、離隔部、及び接触部を含む。第１サブフレキシブルガラスフィルム２１、第２サブフレキシブルガラスフィルム２２、第３サブフレキシブルガラスフィルム２３、及び第４サブフレキシブルガラスフィルム２４のカバー部、離隔部、及び接触部は、上述した図１の実施形態によるフレキシブルガラスフィルムＧＲで説明したものと実質的に同一である。
【００７８】
即ち、第１サブフレキシブルガラスフィルム２１、第２サブフレキシブルガラスフィルム２２、第３サブフレキシブルガラスフィルム２３、及び第４サブフレキシブルガラスフィルム２４とハウジングＨＯ１との間には、それぞれ第１レーザー接合部ＬＢ１が形成される。第１レーザー接合部ＬＢ１は連続する接合ラインＢＬを含み、接合ラインＢＬは第１収納空間ＳＰ１、第２収納空間ＳＰ２、第３収納空間ＳＰ３、及び第４収納空間ＳＰ４の外周に沿って形成される。
【００７９】
また、第１サブフレキシブルガラスフィルム２１、第２サブフレキシブルガラスフィルム２２、第３サブフレキシブルガラスフィルム２３、及び第４サブフレキシブルガラスフィルム２４は、導光板ＬＧに重なって一定間隔離隔する離隔部を含む。
【００８０】
更に、第１サブフレキシブルガラスフィルム２１、第２サブフレキシブルガラスフィルム２２、第３サブフレキシブルガラスフィルム２３、及び第４サブフレキシブルガラスフィルム２４は、導光板ＬＧに接触する接触部を含む。
【００８１】
これにより、第１サブフレキシブルガラスフィルム２１、第２サブフレキシブルガラスフィルム２２、第３サブフレキシブルガラスフィルム２３、及び第４サブフレキシブルガラスフィルム２４と導光板ＬＧの上面ＵＳとの間には、第２レーザー接合部ＬＢ２が形成される。第２レーザー接合部ＬＢ２は、断続的な接合ドットＢＤ又は接合ラインＢＬを含む。
【００８２】
次に、本発明の多様な実施形態による表示装置について説明する。図１１は、本発明の第１実施形態による表示装置の断面図である。図１１を参照すると、本実施形態による表示装置は、バックライトユニット、及びバックライトユニット上に配置された表示パネルを含む。バックライトユニットは、上述した第１〜第５実施形態によるバックライトユニットと実質的に同一である。従って、これに対する詳細な説明を省略する。
【００８３】
表示パネルは、第１基板１０００、第１基板１０００に対向する第２基板５００、及び第１基板１０００と第２基板５００との間に配置される液晶層（図示せず）を含む。
【００８４】
第１基板１０００は複数のトランジスタが形成されたアレイ基板であり、第２基板５００はカラーフィルターが形成されたカラーフィルター基板である。他の実施形態として、カラーフィルターは第１基板１０００上に形成される。即ち、表示パネルは、カラーフィルターオンアレイ（ＣＯＡ：Ｃｏｌｏｒｆｉｌｔｅｒ  ｏｎ  Ａｒｒａｙ）構造を有する表示パネルである。
【００８５】
第１基板１０００及び／又は第２基板５００はガラスからなる。第１基板１０００の少なくとも一部は、第２基板５００と重なり合う。この場合、第１基板１０００上で第２基板５００と重なり合わない領域に駆動部（図示せず）及びプリント回路基板（図示せず）などが配置される。第１基板１０００は、第２基板５００に比べて広い面積を有する。但し、これに限定されるものではなく、他の実施形態として、第２基板５００が第１基板１０００に比べて広い面積を有する。
【００８６】
表示装置は、第１偏光板Ｐ１、第２偏光板Ｐ２、光学シート３００、及び反射層ＲＬを更に含む。第１偏光板Ｐ１及び第２偏光板Ｐ２は、それぞれ表示パネルの外側に配置される。第１偏光板Ｐ１及び第２偏光板Ｐ２は、提供される光のうちの特定の方向に振動する光のみを透過させ、残りの光を遮断又は反射する。第１偏光板Ｐ１の偏光方向と第２偏光板Ｐ２の偏光方向とは互いに異なる。
【００８７】
一実施形態において、第１偏光板Ｐ１及び第２偏光板Ｐ２は、図１１に示すものとは異なり、表示パネルの内側に配置される。この場合、第１偏光板Ｐ１及び第２偏光板Ｐ２はインセル（Ｉｎ  ｃｅｌｌ）偏光板である。
【００８８】
また、一実施形態において、第１偏光板Ｐ１及び／又は第２偏光板Ｐ２は、ワイヤーグリッド偏光子（ＷＧＰ：Ｗｉｒｅ−Ｇｒｉｄ−Ｐｏｌａｒｉｚｅｒ）を含む。
【００８９】
導光板ＬＧの下部には反射層ＲＬが配置される。反射層ＲＬは、導光板ＬＧの下面ＬＳを通過した光を更に上面ＵＳに向かって反射させる役割を果たす。反射層ＲＬは鏡面反射及び／又は拡散反射を行う。反射層ＲＬはシート状からなる。また、反射層ＲＬ上には複数の機能パターンが形成される。
【００９０】
導光板ＬＧの上部には光学シート３００が配置される。光学シート３００は、一枚であり、散乱及び拡散などの複合的な機能を行う。他の実施形態として、光学シート３００は複数枚であり、それぞれの光学シート３００はそれぞれ独立した機能を行う。
【００９１】
図１２は、本発明の第２実施形態による表示装置の断面図である。図１２を参照すると、本実施形態による表示装置において、フレキシブルガラスフィルムＧＲ１のカバー部１０１＿１は、ハウジングＨＯと導光板ＬＧとの間に配置される。
【００９２】
カバー部１０１＿１とハウジングＨＯとがレーザーで接合されることは、上述した第１〜第５実施形態によるバックライトユニットで説明したものと同様である。但し、上述した実施形態とは異なり、この場合、カバー部１０１＿１は導光板ＬＧに直接接触する。カバー部１０１＿１と導光板ＬＧとは接触するが、接合はなされない。他の実施形態として、カバー部１０１＿１と導光板ＬＧとは互いにレーザー接合される。この場合、カバー部１０１＿１と導光板ＬＧとの間には第３レーザー接合部が形成される。
【００９３】
図１３は、本発明の第３実施形態による表示装置の断面図である。図１３を参照すると、本実施形態において、フレキシブルガラスフィルムＧＲ２は導光板ＬＧの下面ＬＳに接触する。
【００９４】
即ち、フレキシブルガラスフィルムＧＲ２は導光板ＬＧの下面ＬＳ側に延び、これにより、離隔部１０２＿１は導光板ＬＧの下面ＬＳに対向し、接触部１０３＿１は導光板ＬＧの下面ＬＳに接触する。接触部１０３＿１と導光板ＬＧの下面ＬＳとはレーザー接合される。これにより、接触部１０３＿１と導光板ＬＧの下面ＬＳとの間に第４レーザー接合部ＬＢ４が形成される。
【００９５】
図１４は、本発明の第４実施形態による表示装置の断面図である。図１４を参照すると、本実施形態による表示装置において、カバー部１０１＿２はハウジングＨＯと導光板ＬＧとの間に配置され、接触部１０３＿１は導光板ＬＧの下面と接触することが図１の実施形態との相違点である。
【００９６】
カバー部１０１＿２がハウジングＨＯと導光板ＬＧとの間に配置されることは、上述した図１２で説明したものと実質的に同一である。また、接触部１０３＿１が導光板ＬＧの下面ＬＳに接触することは、上述した図１３で説明したものと実質的に同一である。従って、これについての詳細な説明を省略する。
【００９７】
図１５は、本発明の第５実施形態による表示装置の断面図である。図１５を参照すると、フレキシブルガラスフィルムＧＲ４はカバー部１０１及びパネル接触部１０２＿２を含む。カバー部１０１は、上述した第１〜第４実施形態による表示装置で説明したものと実質的に同一である。従って、これについての詳細な説明を省略する。
【００９８】
パネル接触部１０２＿２は第１基板１０００の下面に接触する。パネル接触部１０２＿２は、第１基板１０００の下面に接触するが、接合はなされない。他の実施形態として、パネル接触部１０２＿２は第１基板１０００に接合される。
【００９９】
一実施形態において、第１基板１０００はガラスからなる。この場合、第１基板１０００とパネル接触部１０２＿２とはレーザー接合される。即ち、第１基板１０００とパネル接触部１０２＿２との間には第４レーザー接合部（図示せず）が形成される。
【０１００】
図１６は、本発明の第６実施形態による表示装置の断面図である。図１６を参照すると、フレキシブルガラスフィルムＧＲ５はカバー部１０１＿２及びパネル接触部１０２＿２を含み、カバー部１０１＿２は導光板ＬＧとハウジングＨＯとの間に配置される。カバー部１０１＿２が導光板ＬＧとハウジングＨＯとの間に配置される場合は、上述した図１３で説明したものと実質的に同一である。従って、これについての詳細な説明を省略する。
【０１０１】
図１１〜図１６の実施形態のような構造を採用する場合、表示装置における光学的特性の低下を最小限に抑えながら、波長変換部材Ｑを確実に固定することができる。
【０１０２】
図１７は、本発明の第６実施形態によるバックライトユニットの斜視図であり、図１８は、図１の７のＩＩ−ＩＩ′線に沿った断面図である。図１７及び図１８を参照すると、バックライトユニットは、ハウジングＨＯを密閉するカバーガラス１５０を更に含む。
【０１０３】
カバーガラス１５０はハウジングＨＯの一側に配置される。本実施形態において、カバーガラス１５０はフレキシブルガラスフィルムＧＲとハウジングＨＯとの間に配置される。即ち、カバーガラス１５０の一側はフレキシブルガラスフィルムＧＲに接触し、他側はハウジングＨＯに接触する。
【０１０４】
カバーガラス１５０はガラス材質からなる。カバーガラス１５０は、ハウジングＨＯの内部空間を密閉する。即ち、カバーガラス１５０がハウジングＨＯの開放部分を閉じることにより、ハウジングＨＯの内部空間に配置される波長変換部材Ｑを密封する。
【０１０５】
このため、カバーガラス１５０とハウジングＨＯとはレーザー接合される。即ち、カバーガラス１５０とハウジングＨＯとの間に第５レーザー接合部が形成される。図示していないが、第５レーザー接合部の形状は、上述した図１〜図３で説明した第１レーザー接合部ＬＢ１と実質的に同一の形状及び構造を有する。
【０１０６】
カバーガラス１５０とフレキシブルガラスフィルムＧＲとはレーザー接合される。即ち、カバーガラス１５０とフレキシブルガラスフィルムＧＲとの間に第６レーザー接合部が形成される。第６レーザー接合部は、接合ドットＢＤ及び／又は接合ラインＢＬを含む。
【０１０７】
図１７及び図１８はカバーガラス１５０とハウジングＨＯとが互いに独立して配置される構成を例示しているが、これに限定されるものではない。他の実施形態として、カバーガラス１５０とハウジングＨＯとは一体に形成される。即ち、ハウジングＨＯがカバーガラス１５０を含み、これによりハウジングＨＯ自体が波長変換部材Ｑを密封する。
【０１０８】
以下、本発明の幾つかの実施形態による表示装置の製造方法について説明する。以下で説明する構成の一部は、上述した本発明の多様な実施形態による液晶表示装置の構成と同一であり、重複説明を避けるために、一部の構成に対する説明を省略する。
【０１０９】
本発明の一実施形態による表示装置の製造方法は、導光板ＬＧ、及び導光板ＬＧの一側に配置されて波長変換部材Ｑを収容するハウジングＨＯを準備する段階と、ハウジングＨＯの一側にフレキシブルガラスフィルムＧＲを配置してハウジングＨＯとフレキシブルガラスフィルムＧＲとをフェムト秒のレーザーを用いて接合させる段階と、を含んでなる。
【０１１０】
導光板ＬＧ、波長変換部材Ｑは、上述した本発明の多様な実施形態で説明したものと同一である。
【０１１１】
ハウジングＨＯの一側にフレキシブルガラスフィルムＧＲを配置してハウジングＨＯとフレキシブルガラスフィルムＧＲとをフェムト秒のレーザーを用いて接合する段階は、フレキシブルガラスフィルムＧＲとハウジングＨＯとの接触面にフェムト秒のレーザーを照射する段階を含む。フレキシブルガラスフィルムＧＲとハウジングＨＯとの接触面にフェムト秒のレーザーを照射すると、フレキシブルガラスフィルムＧＲとハウジングＨＯとの間には第１レーザー接合部ＬＢ１が形成される（図１参照）。また、上述したように、第１レーザー接合部ＬＢ１は接合ラインＢＬを含む。
【０１１２】
接合ラインＢＬは、フェムト秒のレーザーを連続的に照射する方法で形成される。即ち、フェムト秒のレーザーの焦点を移動させながらレーザーを連続的に照射すると、連続的な接合ラインＢＬが形成される。接合ラインＢＬの断面が中心領域Ａ１及び周辺領域Ａ２を含むことは、上述した図４で説明したものと同様である。
【０１１３】
本発明の一実施形態による表示装置は、フレキシブルガラスフィルムＧＲと導光板ＬＧとをフェムト秒のレーザーを用いて接合させる段階を更に含む。上述したように、フレキシブルガラスフィルムＧＲは、カバー部１０１、離隔部１０２、及び接触部１０３を含む。接触部１０３は、導光板ＬＧの上面ＵＳ又は下面ＬＳに接触する。
【０１１４】
次いで、フレキシブルガラスフィルムＧＲと導光板ＬＧとの間にフェムト秒のレーザーを照射する。フレキシブルガラスフィルムＧＲと導光板ＬＧとの間にフェムト秒のレーザーが照射されると、フレキシブルガラスフィルムＧＲと導光板ＬＧとの間に第２レーザー接合部ＬＢ２が形成される。
【０１１５】
上述したように、第２レーザー接合部ＬＢ２は接合ドットＢＤ及び／又は接合ラインＢＬを含む。接合ドットＢＤは、フェムト秒のレーザーを断続的に照射する方法で形成される。即ち、フェムト秒のレーザーの焦点を移動させながらレーザーを断続的に照射すると、複数の接合ドットＢＤが形成される。
【０１１６】
接合ラインＢＬは、フェムト秒のレーザーを連続的に照射する方法で形成される。即ち、フェムト秒のレーザーの焦点を移動させながらレーザーを連続的に照射すると、連続的な接合ラインＢＬが形成される。接合ラインＢＬの断面が中心領域Ａ１及び周辺領域Ａ２を含むことは、上述した図４で説明したものと同様である。
【０１１７】
本発明の一実施形態による表示装置の製造方法は、ハウジングＨＯと導光板ＬＧとの間にフェムト秒のレーザーを照射して接合させる段階を更に含む。上述した図５で説明したように、ハウジングＨＯと導光板ＬＧとの間に第３レーザー接合部ＬＢ３が形成される。第３レーザー接合部ＬＢ３が接合ラインＢＬ及び／又は接合ドットＢＤを含むことは、上述した本発明の多様な実施形態で説明したものと同様である。
【０１１８】
以上、本発明の実施形態について図面を参照しながら詳細に説明したが、本発明は、上述の実施形態に限定されるものではなく、本発明の技術的範囲から逸脱しない範囲内で多様に変更実施することが可能である。
【符号の説明】
【０１１９】
１１、１２、１３、１４    第１〜第４サブ波長変換部材
２１、２２、２３、２４    第１〜第４サブフレキシブルガラスフィルム
５５    プリント回路基板
５６    発光ダイオード
１０１、１０１＿１、１０１＿２    カバー部
１０２、１０２＿１    離隔部
１０２＿２    パネル接触部
１０３、１０３＿１    接触部
１５０    カバーガラス
３００    光学シート
５００    第２基板
１０００    第１基板
Ａ１    中心領域
Ａ２    周辺領域
ＢＤ    接合ドット
ＢＬ    接合ライン
ＧＲ、ＧＲ０、ＧＲ１、ＧＲ２、ＧＲ３、ＧＲ４、ＧＲ５    フレキシブルガラスフィルム
ＨＯ、ＨＯ１    ハウジング
ＬＢ１    第１レーザー接合部
ＬＢ２、ＬＢ２＿３    第２レーザー接合部
ＬＢ２＿１、ＬＢ２＿２    第２レーザー接合部第１、第２ライン
ＬＢ３    第３レーザー接合部
ＬＧ    導光板
ＬＳ    下面
ＬＳａ    光源
Ｐ１、Ｐ２    第１、第２偏光板
Ｑ、Ｑ２    波長変換部材
ＲＬ    反射層
ＳＰ    収納空間
ＳＰ１、ＳＰ２、ＳＰ３、ＳＰ４    第１〜第４収納空間
ＳＳ    側面
ＵＳ    上面
【図１】
2019036531.tif 000004
【図２】
2019036531.tif 000005
【図３】
2019036531.tif 000006
【図４】
2019036531.tif 000007
【図５】
2019036531.tif 000008
【図６】
2019036531.tif 000009
【図７】
2019036531.tif 000010
【図８】
2019036531.tif 000011
【図９】
2019036531.tif 000012
【図１０】
2019036531.tif 000013
【図１１】
2019036531.tif 000014
【図１２】
2019036531.tif 000015
【図１３】
2019036531.tif 000016
【図１４】
2019036531.tif 000017
【図１５】
2019036531.tif 000018
【図１６】
2019036531.tif 000019
【図１７】
2019036531.tif 000020
【図１８】
2019036531.tif 000021